(57)【要約】【課題】針金や棒等によるサムターンの回転を阻止でき、着脱部材を不要にし、従来同様の回転のみによる操作が可能となる後付け防犯サムターンを得る。【解決手段】防犯サムターン１１において、既存サムターンの摘みに被着され且つこの摘みの回動中心と同軸の軸部３１が突設された後付け摘み１３と、円形板３４に同軸の筒部３５を突設して有し筒部３５を軸部３１に抜脱不能に外挿して回転自在となる後付けサムターン１５と、筒部３５に回動自在に外挿される少なくとも一つの円形状のダイヤル１７と、後付け摘み１３に半径方向に移動自在に内設されダイヤル１７の所定の回転位置で半径方向内側への移動が可能となりこの移動により筒部３５に係合して後付け摘み１３と後付けサムターン１５との相対回転を規制するクラッチ１９とを設けた。【選択図】      図１
2004156390.tif 000002
【特許請求の範囲】
【請求項１】
既存サムターンの摘みに被着され且つ該摘みの回動中心と同軸の軸部が突設された後付け摘みと、
円形板に同軸の筒部を突設して有し該筒部を前記軸部に抜脱不能に外挿して回転自在となる後付けサムターンと、
前記筒部に回動自在に外挿される少なくとも一つの円形状のダイヤルと、
前記後付け摘みに半径方向に移動自在に内設され前記ダイヤルの所定の回転位置で半径方向内側への移動が可能となり該移動により前記筒部に係合して該後付け摘みと前記後付けサムターンとの相対回転を規制するクラッチと、
を備えたことを特徴とする防犯サムターン。
【請求項２】
既存サムターンの摘みに被着され且つ該摘みの回動中心と同軸の軸部が突設された後付け摘みと、
円形板に同軸の筒部を突設して有し該筒部を前記軸部に抜脱不能に外挿して回転自在となる後付けサムターンと、
前記筒部に回動自在に外挿される少なくとも一つの円形状のダイヤルと、
該ダイヤルの前記後付け摘みとの対向面に形成される円周方向の分散穴と、
所定の前記分散穴を前記ダイヤルの半径方向内側に向けて凹ました凹部と、
前記後付け摘みに半径方向に移動自在に内設され半径方向内側への移動により前記筒部に係合して該後付け摘みと前記後付けサムターンとの相対回転を規制するクラッチと、
該クラッチから前記ダイヤルの対向面に向かって突出され前記分散穴からさらに前記凹部に落ち込むことで前記クラッチの半径方向内側への移動を可能とするクラッチピンと、
を備えたことを特徴とする防犯サムターン。
【請求項３】
請求項１又は２に記載の防犯サムターンにおいて、
前記クラッチの半径方向内側への移動が可能となる前記ダイヤルの回転角度位置を示す表示手段を備えたことを特徴とする防犯サムターン。
【請求項４】
請求項１又は２又は３に記載の防犯サムターンにおいて、
前記軸部の先端面に回転位置表示手段が設けられ、
前記後付けサムターンには、該回転位置表示手段を透視可能な透明材からなる表示窓が嵌着されていることを特徴とする防犯サムターン。
【請求項５】
請求項１，２，３，４のいずれか１つに記載の防犯サムターンにおいて、
前記円形板の表面が略球面状の曲面より形成されていることを特徴とする防犯サムターン。
【発明の詳細な説明】
【０００１】
【発明の属する技術分野】
本発明は、扉の施解錠操作に用いられる既存のサムターンを覆う後付けの防犯サムターンに関する。
【０００２】
【従来の技術】
例えば扉に設けられる施錠装置は、屋外側に表出させたシリンダー錠の鍵孔に、合鍵（キー）を挿入して回動操作することにより、扉の木口より進退させたデッドボルトを扉枠に設けたストライクに係合・係合解除して施解錠を行うとともに、屋内側からは、サムターンの摘みを回動操作するのみで、デッドボルトを進退させて、扉の施解錠を簡便に行えるようにしている。
【０００３】
ところが、近年、ポスト口や、機械工具によって開けた小さな穴から棒や針金等を挿入し、回転操作の容易なサムターンに係止して回転させ、施錠装置を解錠する不正解錠が増えている。
この出願の発明に関連する先行技術文献情報としては次のものがある。
【０００４】
【特許文献１】
実公平４−４０３６２号公報
【０００５】
このようなサムターンに針金等を係止して回転させることを防止するものに例えば下記特許文献１に開示されるサムターン用防犯カバーがある。
この防犯カバー１は、図９，図１０に示すように、サムターン２が嵌入する嵌入孔３が形成されているとともに、回転時に円状軌跡２ｂを描くサムターン２の外面２ａを覆う部分が、円状軌跡に沿う円形状に形成されている。そして、嵌入孔３内に螺入してサムターン２の側面に当接し、両側から挟持するセットスクリュー４，４が設けられている。
このような構成からなる防犯カバー１は、嵌入孔３にサムターン２を挿入することで、サムターン２に防犯カバー１を覆うように被せる。その後セットスクリュー４，４を螺入させて締め付けることで、防犯カバー１をサムターン２に固定する。従って、サムターン２に被せた防犯カバー１によって、針金等を係止させて回転させることが難しくなる。
【０００６】
また、上記した防犯カバーの別態様として、図１１に示すように、防犯カバー１を、取付部５及び本体部６から構成したものが開示されている。取付部５は、上記の防犯カバー１の外形を手での操作が容易となるように形成し、本体部６が係止する係止突部５ａを設けている。取付部５は、サムターン２に被せた状態で、サムターン２を容易に回転させることができる。また、本体部６は、係止突部５ａに係止可能な係止部６ａを有している。
このようにすることで、係止作業という簡単な作業で、防犯カバー１の着脱が行える。さらに係止部６ａで本体部６が空転することにより、針金等を係止させて回転させることが不可能となる。
【０００７】
さらに、上記した防犯カバーの別態様として、図１２に示すように、係止部６ａ内に、係止突部５ａとの間にバネ部材８を設け、本体部６側の外周縁に複数の係合凹部５ｂと、この係合凹部５ｂに係合可能な係合凸部６ｂとを設けたものが開示されている。
このような構成とすれば、本体部６を常に取り付けたままとしておくことができる。即ち、常時は係止突部５ａと係止部６ａとで本体部６が空転し、サムターン２を回転させたいときは、本体部６を手で押圧し、係合凸部６ｂを取付部５の係合凹部５ｂに係合させ、この係合状態のまま本体部６を回転させることにより、サムターン２を回転させることができた。
【０００８】
【発明が解決しようとする課題】
しかしながら、図９，図１０に示された防犯カバーは、外形が円筒体形状であるため、サムターンに被せた場合、本来小判形状であることからその回転位置によって視認できたサムターンの施錠状態又は非施錠状態を視認不能にしてしまい、施解錠の操作性を低下させる問題があった。
また、図１１に示された防犯カバーは、サムターンを回転操作可能にする取付部と、この取付部に対し空転しかつ着脱可能となる本体部とから構成されるため、脱着した本体部の保管管理が煩雑となり、本体部を紛失する虞もあった。
さらに、図１２に示された防犯カバーは、本体部を常に取り付けたままとできるので、本体部の紛失はなくなるが、サムターンの回転操作時には本体部を手で押圧しながら回転させなければならないため、操作性を低下させた。
【０００９】
本発明は上記状況に鑑みてなされたもので、その第一の目的は、針金や棒等によるサムターンの回転を阻止できるとともに、着脱部材を不要にし、しかも、従来同様の回転のみによる操作が可能となる後付け防犯サムターンを提供し、もって、防犯性、操作性の向上を図ることにある。また、その第二の目的は、サムターンの回転位置が容易に視認できる後付け防犯サムターンを提供し、もって、操作性の向上を図ることにある。
【００１０】
【課題を解決するための手段】
次に、上記の課題を解決するための手段を、実施の形態に対応する図面を参照して説明する。
この発明の請求項１記載の防犯サムターン１１は、既存サムターンの摘み２１に被着され且つ該摘み２１の回動中心と同軸の軸部３１が突設された後付け摘み１３と、
円形板３４に同軸の筒部３５を突設して有し該筒部３５を前記軸部３１に抜脱不能に外挿して回転自在となる後付けサムターン１５と、
前記筒部３５に回動自在に外挿される少なくとも一つの円形状のダイヤル１７と、
前記後付け摘み１３に半径方向に移動自在に内設され前記ダイヤル１７の所定の回転位置で半径方向内側への移動が可能となり該移動により前記筒部３５に係合して該後付け摘み１３と前記後付けサムターン１５との相対回転を規制するクラッチ１９と、
を備えたことを特徴とする。
【００１１】
この防犯サムターン１１では、既存サムターンの摘み２１が後付け摘み１３によって覆われ、この後付け摘み１３の軸部３１に、円形状の後付けサムターン１５が回動自在に外挿され、さらに、この後付けサムターン１５の筒部３５にはダイヤル１７が回動自在に外挿される。そして、ダイヤル１７が所定の回転位置となることで、後付け摘み１３に内設されたクラッチ１９が後付けサムターン１５の筒部３５に係合して、後付け摘み１３と後付けサムターン１５との相対回転が規制される。これにより、針金や棒等を用いても後付けサムターン１５、ダイヤル１７は滑り及び空回りにより後付け摘み１３への回転力の入力が阻止される。また、既存サムターンの操作時には、ダイヤル１７を所定の回転位置に合わせ、後付けサムターン１５を回転することで、従来同様の回転操作のみにより施解錠操作することが可能となる。
【００１２】
請求項２記載の防犯サムターン１１は、既存サムターンの摘み２１に被着され且つ該摘み２１の回動中心と同軸の軸部３１が突設された後付け摘み１３と、
円形板３４に同軸の筒部３５を突設して有し該筒部３５を前記軸部３１に抜脱不能に外挿して回転自在となる後付けサムターン１５と、
前記筒部３５に回動自在に外挿される少なくとも一つの円形状のダイヤル１７と、
該ダイヤル１７の前記後付け摘み１３との対向面３７ａ、３９ａに形成される円周方向の分散穴４５と、
所定の前記分散穴４５を前記ダイヤル１７の半径方向内側に向けて凹ました凹部４９と、
前記後付け摘み１３に半径方向に移動自在に内設され半径方向内側への移動により前記筒部３５に係合して該後付け摘み１３と前記後付けサムターン１５との相対回転を規制するクラッチ１９と、
該クラッチ１９から前記ダイヤル１７の対向面３７ａ、３９ａに向かって突出され前記分散穴４５からさらに前記凹部４９に落ち込むことで前記クラッチ１９の半径方向内側への移動を可能とするクラッチピン５７と、
を備えたことを特徴とする。
【００１３】
この防犯サムターン１１では、ダイヤル１７が所定の回転位置になると、クラッチピン５７が凹部４９へ落ち込み、半径方向内側へ移動したクラッチ１９が後付けサムターン１５に係合する。その結果、後付け摘み１３と後付けサムターン１５との相対回転が規制される。これにより、後付けサムターン１５の回転のみによる施解錠操作が実現する。
【００１４】
請求項３記載の防犯サムターン１１は、請求項１又は２に記載の防犯サムターンにおいて、
前記クラッチ１９の半径方向内側への移動が可能となる前記ダイヤル１７の回転角度位置を示す表示手段７１を備えたことを特徴とする。
【００１５】
この防犯サムターン１１では、表示手段７１によりダイヤル１７の回転角度位置が容易に視認でき、クラッチ１９の移動が行われる位置の位置合わせが正確に行えることとなる。
【００１６】
請求項４記載の防犯サムターン１１は、請求項１又は２又は３に記載の防犯サムターンにおいて、
前記軸部３１の先端面に回転位置表示手段６７が設けられ、
前記後付けサムターン１５には、該回転位置表示手段６７を透視可能な透明材からなる表示窓６９が嵌着されていることを特徴とする。
【００１７】
この防犯サムターン１１では、後付け摘み１３、ダイヤル１７及び後付けサムターン１５に覆われることで視認できなくなった既存サムターン摘み２１の回転位置が、回転位置表示手段６７を介して視認可能となり、現状の施錠状況が把握でき、操作時における施解錠が容易となる。
【００１８】
請求項５記載の防犯サムターン１１は、請求項１，２，３，４のいずれか１つに記載の防犯サムターンにおいて、
前記円形板３４の表面が略球面状の曲面より形成されていることを特徴とする。
【００１９】
この防犯サムターン１１では、針金や棒等を用いた不正な操作に対し、円形板３４の表面で滑ることとなり、後付け摘み１３への回転力の入力を阻止することとなる。
【００２０】
【発明の実施の形態】
以下、本発明に係る防犯サムターンの好適な実施の形態を図面を参照して詳細に説明する。
図１は本発明に係る防犯サムターンの分解斜視図、図２は図１に示した防犯サムターンの分解側面図、図３は図１に示した防犯サムターンの組立て縦断面図、図４はクラッチが移動する前の図３のＡ−Ａ断面図、図５は分散穴の正面視を（ａ）、そのＢ−Ｂ矢視を（ｂ）に表した分散穴の説明図、図６は基端側ダイヤル、先端側ダイヤルの分散穴にクラッチピンが進入した状態のクラッチ近傍の拡大断面図、図７は基端側ダイヤルの凹部にクラッチピンが一致した状態のクラッチ近傍の拡大断面図、図８は基端側、先端側ダイヤルの凹部にクラッチピンが一致してクラッチが移動した状態のクラッチ近傍の拡大断面図である。
【００２１】
本実施の形態による防犯サムターン１１は、その主要な構成として、図１に示す後付け摘み１３と、後付けサムターン１５と、ダイヤル１７と、クラッチ１９とを有している。
後付け摘み１３は、図２に示す既存サムターンの摘み２１に、基端が被着される。この被着は、基端部に形成した円形状の基台部２３の基端面に、摘み２１の嵌入する嵌入溝２５を形成し、この嵌入溝２５に貫通するメネジ２７に、止めネジ２９を螺合することにより、止めネジ２９の先端を摘み２１に圧接して行われる。この止めネジ２９には、例えば六角穴付きネジ等が好適となる。なお、この被着には、粘着テープや接着剤が使用されてもよい。
【００２２】
後付け摘み１３の基台部２３には摘み２１の回動中心と同軸の軸部３１が突設され、軸部３１は円柱状に形成される。この軸部３１の先端面には、後述のキャップを螺着するためのネジ孔３３が形成されている。
【００２３】
後付けサムターン１５は、円形板３４に同軸の筒部３５を突設し、この筒部３５を軸部３１に抜脱不能に外挿して回転自在となる。なお、円形板３４の形状としては、表面が略球面状の曲面より形成されることが好ましく、角部分などの稜線状の部分を有しない形状が良い。また、筒部３５の先端には、軸線方向に切り込みを入れて形成したすり割り３６が、円周方向に所定間隔で複数、例えば四箇所程度形成されている。
【００２４】
本実施の形態では、ダイヤル１７は、基端側ダイヤル３７と、先端側ダイヤル３９との二つのダイヤルからなる。なお、発明に係る防犯サムターンは、ダイヤルが一つであってもよく、或いは二つ以上の複数であってもよい。
【００２５】
ダイヤル１７は、先端側ダイヤル３９，基端側ダイヤル３７の順で筒部３５に挿入される。これら基端側ダイヤル３７，先端側ダイヤル３９は、後付けサムターン１５が後述のキャップ６３にて抜脱不能となることで、軸線方向の移動が規制されて且つ相対回転可能に組み付けられる。
【００２６】
先端側ダイヤル３９には同軸の筒状凸部４１が突設され、筒状凸部４１は基端側ダイヤル３７の内穴４３に挿入される。したがって、基端側ダイヤル３７と先端側ダイヤル３９との間隙が、半径方向に直線的に形成されないよう、すなわちこの間隙が筒部３５に達しないようになっている。
【００２７】
基端側ダイヤル３７及び先端側ダイヤル３９の後付け摘み１３との対向面３７ａ，３９ａには、図４に示す複数、本実施の形態では１０箇所の分散穴４５が円周方向に等間隔に形成されている。分散穴４５は、図５に示すように、開口縁が斜面によって削られたテーパ４７となっている。このテーパ４７は、後述するクラッチピン５７の分散穴４５からの退出をスムースとする。
【００２８】
基端側ダイヤル３７及び先端側ダイヤル３９の対向面３７ａ，３９ａには、所定の分散穴４５をダイヤルの半径方向内側に向けて凹ました図４に示す凹部４９がそれぞれ形成されている。本実施の形態では、基端側ダイヤル３７及び先端側ダイヤル３９にそれぞれ形成された１０箇所の分散穴４５のうち、それぞれ一つの分散穴４５に凹部４９が形成されているが、凹部４９は、複数の分散穴４５に形成されるものであってもよい。この凹部４９には、分散穴４５に進入した後述のクラッチピン５７が、ダイヤル３７，３９の半径方向内側に移動して落ち込み可能となっている。
【００２９】
クラッチ１９は、後付け摘み１３の基台部２３に形成された半径方向に長い収容溝５１に収容され、この収容溝５１に沿う半径方向に移動自在となる。クラッチ１９の背面には突起５３が突設され、クラッチ１９はこの突起５３と収容溝５１の天面との間に配設した圧縮バネ５５によって、半径方向内側に付勢されている。クラッチ１９は、この半径方向内側への移動により、後付けサムターン１５の筒部３５のすり割り３６に係合して、後付け摘み１３と後付けサムターン１５との相対回転を規制する。
【００３０】
クラッチ１９には、二つのピン孔５６，５６が半径方向に間隔を有して穿設され、それぞれのピン孔５６，５６にはクラッチピン５７が収容されている。クラッチピン５７とピン孔５６の底部との間には圧縮バネ５９が配設され、圧縮バネ５９はクラッチピン５７を基端側ダイヤル３７及び先端側ダイヤル３９の対向面３７ａ，３９ａに向かって突出させる方向に付勢している。
【００３１】
したがって、クラッチ１９から突出したクラッチピン５７は、基端側ダイヤル３７及び先端側ダイヤル３９が回動されることで、円周方向に配設された分散穴４５に順次進入・退出を繰り返して進退するようになっている。各クラッチピン５７は、これら分散穴４５に対し進退することで、ダイヤル３７，３９回転時の節度感（クリック感）を生じさせるようになっている。
【００３２】
ところで、クラッチピン５７は、凹部４９を有する分散穴４５において、その凹部４９への移動が可能となる。但し、本実施の形態では、二つのダイヤル１７を有しているので、それぞれのダイヤル１７の凹部４９が二つのクラッチピン５７に同時に一致して、初めて二つのクラッチピン５７が凹部４９に落ち込む。これにより、クラッチ１９が半径方向内側に移動することとなる。換言すれば、一方のダイヤル１７の凹部４９にクラッチピン５７が一致しても、クラッチ１９は移動しないこととなる（図７参照）。
【００３３】
後付け摘み１３の基台部２３，後付けサムターン１５，基端側ダイヤル３７，先端側ダイヤル３９の外形状は、全て円形状となっている。これにより、針金等による引っ掛かりが防止できるようになっている。さらに、後付けサムターン１５の円形板３４の表面を略球面状の曲面より形成することで、この表面においても針金や棒等が滑り、引っ掛かりが防止される。
【００３４】
後付けサムターン１５の先端面には、段付穴６１が開口されている。この段付穴６１からは軸部３１の先端面が表出する。段付穴６１に表出した軸部３１の先端面には小円板状のキャップ６３がキャップビス６５によって固着される。キャップ６３は、軸部３１と一体固定される一方、段付穴６１の内部に遊嵌されている。
【００３５】
キャップ６３の表面、即ち、軸部３１の先端面には、回転位置表示手段である表示シール６７が貼着される。本実施の形態では、図１に示すように直線状の標示とされる。さらに、段付穴６１には、表示シール６７を透視可能な透明材からなる表示窓６９が嵌着されている。
【００３６】
また、基端側ダイヤル３７，先端側ダイヤル３９の外周には、表示手段としての軸線方向に長いマーク７１，７１が形成されている。クラッチ１９が移動する位置は、予め設定したこのマーク７１，７１の位置、本実施の形態では上、により知ることができる。なお、このマーク７１は、上記のような形以外に、他の形状や、数字や文字などとしても良く、好ましくは、印刷などの手段で設けられ、ダイヤル３９の外周面に対して凸状或いは凹状とならないように形成される。
【００３７】
軸部３１の先端面にキャップ６３を固定することで、一体に組みつけられた後付け摘み１３，後付けサムターン１５，基端側ダイヤル３７及び先端側ダイヤル３９は、化粧リング７３によって、後付け摘み１３の一部が覆われる。化粧リング７３は、摘みワッシャー７５を介して、後付け摘み１３の後面７７に当接した化粧バネ７９によって扉面８１に押圧されるようになっている。
【００３８】
上記のように構成される防犯サムターン１１を、既存サムターンの摘み２１に取り付けるには、既存サムターンの摘み２１を施錠状態とし、化粧リング７３，後付け摘み１３，後付けサムターン１５，基端側ダイヤル３７，及び先端側ダイヤル３９が一体に組み立てられた防犯サムターン１１を、既存サムターンの摘み２１へと押込む。
【００３９】
次いで、化粧リング７３に開いている止め穴８３から後付け摘み１３の基台部２３に止めネジ２９を螺合し、例えば六角穴付きネジの場合には六角レンチなどの工具で締めることにより、後付け摘み１３を既存サムターンの摘み２１に固定する。
最後に、化粧リング７３の止め穴８３に、化粧キャップ８５を圧入して防犯サムターン１１の取り付けが完了する。
【００４０】
次に、このようにして、既存サムターンの摘み２１に取り付けられた防犯サムターン１１の動作を説明する。
防犯サムターン１１は、図６に示すように、基端側ダイヤル３７と先端側ダイヤル３９とのそれぞれの分散穴４５に、クラッチピン５７が進退することで、ダイヤル１７の回動に伴いクリック感が生じる。この状態で、後付けサムターン１５，基端側ダイヤル３７，先端側ダイヤル３９，及び化粧リング７３は、自由に回動自在となる。
【００４１】
解錠操作時には、個々のダイヤル１７（基端側ダイヤル３７，先端側ダイヤル３９）のマーク７１，７１を上に合わせる。すると、図８に示すように、個々のダイヤル１７（基端側ダイヤル３７，先端側ダイヤル３９）の凹部４９が、クラッチピン５７と一致し、クラッチピン５７が凹部４９に落ち込む。即ち、クラッチ１９が半径方向内側へ移動される。これにより、クラッチ１９がすり割り３６に係合して、後付けサムターン１５と後付け摘み１３との相対回転が規制され、後付けサムターン１５を介しての後付け摘み１３、即ち、既存サムターンの摘み２１が解錠回転可能となる。
【００４２】
施錠操作は、この解錠操作と同様にして行うことができる。
【００４３】
この際、クラッチ１９は、図７に示すように、基端側ダイヤル３７と先端側ダイヤル３９とのいずれか一方のマーク７１を上に合わせたのみでは移動されない。つまり、基端側ダイヤル３７と先端側ダイヤル３９との双方のマーク７１，７１を上に一致させなければならない。このことから、マーク７１，７１が視認できない手探りによる不正解錠では、分散穴４５が１０個である場合、１０桁が２枚となることからその組合せとして最大１００回の位置あわせをしなければ、クラッチ１９が移動されないようになっている。つまり、既存サムターン摘み２１に入力が可能となるダイヤル１７（基端側ダイヤル３７，先端側ダイヤル３９）の解錠位置が探りづらくなっている。
【００４４】
このように、上記した防犯サムターン１１では、既存サムターンの摘み２１が後付け摘み１３によって覆われ、この後付け摘み１３に、円形状の後付けサムターン１５が回動自在に外挿される。そして、ダイヤル１７が所定の回転位置となることで、後付け摘み１３に内設されたクラッチ１９が後付けサムターン１５に係合して、後付け摘み１３と後付けサムターン１５との相対回転が規制される。したがって、針金や棒等を用いても後付けサムターン１５，ダイヤル１７は滑り及び空回りにより後付け摘み１３への回転力の入力が阻止される。また、既存サムターンの操作時には、ダイヤル１７を所定の回転位置に合わせ、後付けサムターン１５を回転することで、従来同様の回転操作のみにより施解錠操作することができる。
【００４５】
また、後付け摘み１３，ダイヤル１７及び後付けサムターン１５に覆われることで視認できなくなった既存サムターンの摘み２１の回転位置が、回転位置表示手段を介して視認可能となり、現状の施錠状況が把握でき、操作時における施解錠が容易となる。
【００４６】
【発明の効果】
以上説明したように、本発明に係る請求項１記載の防犯サムターンによれば、既存サムターンの摘みが後付け摘みによって覆われ、この後付け摘みの軸部に、円形状の後付けサムターンが回動自在に外挿され、さらに、この後付けサムターンの筒部にはダイヤルが回動自在に外挿され、ダイヤルが所定の回転位置となることで、後付け摘みに内設されたクラッチが後付けサムターンの筒部に係合して、後付け摘みと後付けサムターンとの相対回転を規制するので、針金や棒等を用いても後付けサムターン、ダイヤルは滑り及び空回りにより後付け摘みへの回転力の入力を阻止することができる。そして、既存サムターンの操作時には、ダイヤルを所定の回転位置に合わせ、後付けサムターンを回転することで、従来同様の回転操作のみにより施解錠操作することができる。この結果、着脱部材を不要にし、防犯性、操作性を向上させることができる。
【００４７】
請求項２記載の防犯サムターンによれば、ダイヤルの後付け摘みとの対向面に分散穴が形成され、所定の分散穴に、ダイヤルの半径方向内側に向けて凹ました凹部が設けられ、クラッチには、凹部に落ち込むことでクラッチの半径方向内側への移動を可能とするクラッチピンを突出させたので、ダイヤルを所定の回転位置にすることで、クラッチを後付けサムターンに係合し、後付け摘みと後付けサムターンとの相対回転を規制して、後付けサムターンの回転のみによる施解錠操作を実現できる。
【００４８】
請求項３記載の防犯サムターンによれば、クラッチの半径方向内側への移動が可能となるダイヤルの回転角度位置を示す表示手段を備えたことにより、ダイヤルの回転角度位置が容易に視認でき、通常の正規な施解錠使用時にクラッチの移動が行われる位置の位置合わせが正確に行えることとなる。
【００４９】
請求項４記載の防犯サムターンによれば、軸部の先端面に回転位置表示手段が設けられ、後付けサムターンには、回転位置表示手段を透視可能な透明材からなる表示窓が嵌着されているので、後付け摘み、ダイヤル及び後付けサムターンに覆われることで視認できなくなった既存サムターン摘みの回転位置を、回転位置表示手段を介して知ることができ、操作性を向上させることができる。
【００５０】
請求項５記載の防犯サムターンによれば、円形板の表面を略球面状の曲面より形成したので、針金や棒等を用いた不正な操作に対し、円形板の表面で滑ることとなり、後付け摘みへの回転力の入力を阻止することとなる。
【図面の簡単な説明】
【図１】本発明に係る防犯サムターンの分解斜視図である。
【図２】図１に示した防犯サムターンの分解側面図である。
【図３】図１に示した防犯サムターンの組立て縦断面図である。
【図４】クラッチが移動する前の図３のＡ−Ａ断面図である。
【図５】分散穴の正面視を（ａ）、そのＢ−Ｂ矢視を（ｂ）に表した分散穴の説明図である。
【図６】基端側ダイヤル、先端側ダイヤルの分散穴にクラッチピンが進入した状態のクラッチ近傍の拡大断面図である。
【図７】基端側ダイヤルの凹部にクラッチピンが一致した状態のクラッチ近傍の拡大断面図である。
【図８】基端側、先端側ダイヤルの凹部にクラッチピンが一致してクラッチが移動した状態のクラッチ近傍の拡大断面図である。
【図９】従来の防犯カバーの扉への取り付け状態を示す斜視図である。
【図１０】図９に示した防犯カバーの内部状態を表す断面図である。
【図１１】図９に示した防犯カバーの別態様を表す部分破断側面図である。
【図１２】図９に示した防犯カバーのさらに別態様を表す部分破断側面図である。
【符号の説明】
１１…防犯サムターン
１３…後付け摘み
１５…後付けサムターン
１７…ダイヤル
１９…クラッチ
２１…既存サムターンの摘み
３１…軸部
３４…円形板
３５…筒部
３７ａ，３９ａ…後付け摘みとの対向面
４５…分散穴
４９…凹部
５７…クラッチピン
６７…回転位置表示手段（表示シール）
６９…表示窓
７１…表示手段（マーク）
【図１】
2004156390.tif 000003
【図２】
2004156390.tif 000004
【図３】
2004156390.tif 000005
【図４】
2004156390.tif 000006
【図５】
2004156390.tif 000007
【図６】
2004156390.tif 000008
【図７】
2004156390.tif 000009
【図８】
2004156390.tif 000010
【図９】
2004156390.tif 000011
【図１０】
2004156390.tif 000012
【図１１】
2004156390.tif 000013
【図１２】
2004156390.tif 000014